(57)【特許請求の範囲】
【請求項１】
外周にフランジ部が形成された鉄製の鞘管を防火区画されたパイプスペースの床スラブに形成された貫通孔に落とし込んで、鞘管の下端を床スラブ下面から突出させ、フランジ部を貫通孔周りの床スラブ上面に固定する一方、スプリンクラー設備用の縦管を合成樹脂製とし、当該合成樹脂製縦管を前記鞘管に通して配管し、合成樹脂製縦管と鞘管の間にロックウールを充填し、鞘管の下端を耐火パテで閉塞し、鞘管の上端をモルタルで閉塞し、火災発生時に防火区画されたパイプスペース内の上方で高温になる部分の合成樹脂製縦管が鞘管やロックウールで保護されるようにしてあることを特徴とする多層建物用スプリンクラー設備における縦管の床スラブ貫通部の構造。
【発明の詳細な説明】
【０００１】
【発明の属する技術分野】
本発明は、集合住宅等の多層建物用スプリンクラー設備における縦管の床スラブ貫通部の構造に関するものである。
【０００２】
【従来の技術】
従来、集合住宅等の多層建物用スプリンクラー設備（消火設備）では、耐火性の面で難があるところから、水槽室から防火区画のパイプスペースに配設されるアラーム弁までの縦管として、合成樹脂管の使用は認められておらず、鉄管が使用されていた。
【０００３】
そのため、配管重量が大きくて、施工性が悪く、しかも、耐震性に難があり、継手ネジ部の腐食によるネジ部のやせによって漏水が発生しやいなど、多くの問題点があった。
【０００４】
【発明が解決しようとする課題】
本発明は、上記の現状に鑑みてなされたものであって、その目的とするところは、多層建物用スプリンクラー設備において、防火区画のパイプスペースに配設されるアラーム弁までの縦管として、材質上、耐火性の面で難のある合成樹脂管を使用しているにもかかわらず、火災発生時のパイプスペース外からの熱による縦管の溶解を防止して、火災発生時にスプリンクラー設備の機能が確保されるようにすることにある。
【０００５】
【課題を解決するための手段】
上記の課題を解決するために、本発明では、外周にフランジ部が形成された鉄製の鞘管を防火区画されたパイプスペースの床スラブに形成された貫通孔に落とし込んで、鞘管の下端を床スラブ下面から突出させ、フランジ部を貫通孔周りの床スラブ上面に固定する一方、スプリンクラー設備用の縦管を合成樹脂製とし、当該合成樹脂製縦管を前記鞘管に通して配管し、合成樹脂製縦管と鞘管の間にロックウールを充填し、鞘管の下端を耐火パテで閉塞し、鞘管の上端をモルタルで閉塞し、火災発生時に防火区画されたパイプスペース内の上方で高温になる部分の合成樹脂製縦管が鞘管やロックウールで保護されるようにしている。
【０００６】
上記の構成によれば、火災発生時、防火区画されたパイプスペースの内部の温度が外部からの熱で上昇しても、パイプスペース内の温度は上方程高温になり、この部分が鞘管やロックウールで保護されているので、合成樹脂製縦管が早期に溶解、変形してしまうことがなく、スプリンクラー設備としての機能が確保されることになる。
【０００７】
【発明の実施の形態】
図１は４階以上を共同住宅とした多層建物を示す。多層建物の４階以上に設けられた多層建物用スプリンクラー設備は、図１、図２に示すように、４系統Ａ，Ｂ，Ｃ，Ｄに分かれており、水源となる消火水槽１ａ，１ｂ，１ｃを、２３階、３６階、塔屋１階に設けてある。上層部分の１系統Ａを除く３系統Ｂ，Ｃ，Ｄは、消火水槽１ａ，１ｂ，１ｃとの高低差が大きくて水圧が確保できるので、重力式にて消火水槽１ａ，１ｂ，１ｃより常時加圧する重力式系統とされており、重力式では水圧が確保できない上層部分の１系統Ａについては、防火区画された専用室に前記消火水槽１ａを水源とするスプリンクラーポンプＰを設置して、ポンプ加圧系統としている。消火水槽１ａ，１ｂ，１ｃはＦＲＰ製であり、防火区画された水槽室に設置されている。
【０００８】
各系統Ａ，Ｂ，Ｃ，Ｄは、図２に示すように、いずれもループ状回路２と、ループ状回路２への縦管３と、ループ状回路２から分岐した縦管３と、縦管３から各住戸４ごとに分岐し、アラーム弁５を介して設けられた住戸内スプリンクラー設備６とを有している。アラーム弁５までの消火配管の全体（ループ状回路２、ループ状回路２への縦管３、ループ状回路２から分岐した縦管３等々）は、合成樹脂製（具体的には、ポリブテン製）である。従って、軽量で施工性が良く、しかも、耐蝕性に優れており、配管内部の錆による赤水の心配がなく、誤動作時の被害が最小限に抑えられることになる。
【０００９】
各系統Ａ，Ｂ，Ｃ，Ｄの消火配管は、水槽室から防火区画のメインパイプスペースＭＰＳや屋外開放廊下７を経由して、１住戸ごとに設けられた住戸用のパイプスペースＰＳに入り、そこからアラーム弁５を経て各住戸４に至っている。アラーム弁５は、火災発生時、スプリンクラーヘッドが設定温度（摂氏７２度）に達してヒューズが溶断し、管内の水がスプリンクラーヘッドから放水されることにより、自動的に作動して、住戸４の玄関付近に設けられた表示部に警報表示すると共に、防災センター内の防災監視盤に警報表示すようになっている。
【００１０】
パイプスペースＰＳは、図３に示すように、吹き抜け８の周囲に設けられた屋外開放廊下７に面して設けられており、住戸４とは防火区画（共住区画）され、出入り口に設けるメンテナンス用の扉９は鉄扉とされている。
【００１１】
水平方向の防火区画を形成するパイプスペースＰＳの床スラブ１０を合成樹脂製縦管３が貫通する部分の構造は、次のとおりである。即ち、図４、図５に示すように、外周にフランジ部１１ａが形成された適当な長さの鉄製の鞘管１１をパイプスペースＰＳの床スラブ１０に形成された貫通孔１２に落とし込んで、フランジ部１１ａを貫通孔１２周りの床スラブ１０上面に載置し、ホールインアンカー１３で固定する一方、合成樹脂製縦管３を
前記鞘管１１に通して配管し、合成樹脂製縦管３と鞘管１１の間にロックウール１４を充填し、鞘管１１の下端を耐火パテ１５で閉塞し、鞘管１１の上端をモルタル１６で閉塞してある。
【００１２】
従って、火災発生時、外部からの熱で、扉９が高温になり、扉９からの放熱によってパイプスペースＰＳの内部も温度が上昇しても、パイプスペースＰＳ内の温度は上方程高温になり、この部分が鞘管１１やロックウール１４で保護されているので、合成樹脂製縦管３が早期に溶解、変形してしまうことがなく、スプリンクラー設備としての機能が確保されることになる。
【００１３】
尚、屋外開放廊下８から梁１７を貫通してパイプスペースＰＳに入った合成樹脂管１８は、鞘管１１の下端よりも低い位置において合成樹脂製縦管３と接続されており、当該接続部までの合成樹脂管１８も、合成樹脂製縦管３と同様に、ロックウール１４と鞘管１１で保護されている。また、アラーム弁５から下流の枝管１９も、合成樹脂管（ポリブテン管）であり、パイプスペースＰＳの壁（ＡＬＣ板を使用している。）２０を貫通し、住戸４の天井２１内に設けた合成樹脂（ポリブテン）製ヘッダー２２に接続されている。枝管１９のうち、鞘管１１の下端よりも上方に位置する部分は、厚さ５０mmにロックウール１４を巻き付け、さらに、その周囲に金網２３を巻き付けて、耐火性・耐熱性を確保してある。
【００１４】
【発明の効果】
本発明は、上述した構成よりなり、防火区画のパイプスペースに配設されるアラーム弁までの縦管として、軽量で施工性が良く、錆による赤水が発生しないという利点を有する反面、耐火性の面で難のある合成樹脂管を使用しているにもかかわらず、火災発生時、パイプスペースの内部の温度が外部からの熱で上昇しても、パイプスペース内の温度は上方程高温になり、この部分が鞘管やロックウールで保護されているので、合成樹脂製縦管が早期に溶解、変形してしまうことがなく、スプリンクラー設備としての機能を確保できるのである。
【図面の簡単な説明】
【図１】  多層建物用スプリンクラー設備の概略構成図である。
【図２】  多層建物用スプリンクラー設備の配管回路図である。
【図３】  多層建物の特定階における平面図である。
【図４】  縦管の床スラブ貫通部の構造を示す縦断側面図である。
【図５】  要部拡大縦断側面図である。
【符号の説明】
ＰＳ…パイプスペース、３…合成樹脂製管、１０…床スラブ、１１…鞘管、１１ａ…フランジ部、１２…貫通孔、１４…ロックウール、１５…耐火パテ、１６…モルタル。
【図１】
0003806238.tif 000002
【図２】
0003806238.tif 000003
【図３】
0003806238.tif 000004
【図４】
0003806238.tif 000005
【図５】
0003806238.tif 000006